(57)【要約】【課題】２ｘ４工法において、より強度が高く且つ外張り断熱工法において断熱材を外壁から突き出させないことが可能な構造パネル及びそれを使用した工法を提供する。【解決手段】建築構造等に使用されるための構造パネル（２０；２３；２６）は、四辺を有する平板状の合板（１）と、合板（１）をその表裏両側から挟み込むように合板（１）に接合される、少なくとも２本のスタッド（２）により形成される２組の合せ柱（３）とを具備する。合せ柱（３）は、合板（１）の四辺の内の対向する両側部にそれぞれ設置される。【選択図】図１
2008127839.tif 000002
【特許請求の範囲】
【請求項１】
四辺を有する平板状の合板（１）と、
前記合板（１）をその表裏両側から挟み込むように前記合板（１）に接合される、少なくとも２本のスタッド（２）により形成される２組の合せ柱（３）と、
を具備する、建築構造等に使用されるための構造パネル（２０；２３；２６）において、
前記合せ柱（３）は、前記合板（１）の四辺の内の対向する両側部にそれぞれ設置されることを特徴とする構造パネル。
【請求項２】
前記合板（１）をその表裏両側から挟み込むように前記合板（１）に接合される、少なくとも２本のスタッド（２）により形成される枠（５；６）が、前記合板の四辺の内の対向する両側部に直交する２つの辺の内の少なくともいずれか一方に設置されることを特徴とする請求項１に記載の構造パネル。
【請求項３】
少なくとも１本のスタッド（２）により形成される中央柱（１８）が、前記合板（１）の少なくとも一方の面において、前記合板の四辺の内の対向する両側部に平行で且つ前記合板（１）の実質的に中央に設置されることを特徴とする請求項１又は２に記載の構造パネル。
【請求項４】
前記中央柱（１８）は、前記合板（１）をその表裏両側から挟み込むように前記合板（１）に接合される、少なくとも２本のスタッド（２）により形成されることを特徴とする請求項１から３のいずれか一項に記載の構造パネル。
【請求項５】
全ての前記スタッド（２）は、ツーバイフォー（２ｘ４）タイプ等の規格寸法のものであることを特徴とする請求項１から４のいずれか一項に記載の構造パネル。
【請求項６】
前記合せ柱（３）を構成する前記スタッド（２）の内の少なくとも１つが、ツーバイシックス（２ｘ６）タイプであることを特徴とする請求項５に記載の構造パネル。
【請求項７】
断熱材（８）が、前記スタッド（２）の厚みにより決定される構造パネル厚みを越えて伸張しないように前記合板（１）に取り付けられており、前記断熱材（８）が取り付けられた前記構造パネルは、前記断熱材（８）が外側に配置される断熱工法で使用されることを特徴とする請求項１から６のいずれか一項に記載の構造パネル。
【請求項８】
請求項１から７のいずれか一項に記載の構造パネルを、少なくとも使用することを特徴とする建築工法。
【発明の詳細な説明】
【技術分野】
【０００１】
本発明は、建築工法において使用される構造パネル及びこの構造パネルを使用した建築工法に係り、より特別には、ツーバイフォー（２ｘ４）工法において使用される構造パネルに関する。
【背景技術】
【０００２】
住宅建築において近年、ツーバイフォー（２ｘ４）工法は世界的に普及している。２ｘ４工法では、２インチｘ４インチ等の所定の断面寸法のスタッドと呼ばれる柱材と板状の構造用合板とにより構成されていて単位部材である、構造パネルを主に使用して、これらの構造パネルを組み合わせることにより建物を建造する。２ｘ４工法は、主に同じ単位部材を使用することにより、材料製作上における単純性、同様な単位構造パネルを使用することから、設計上、組み立て上等における単純性から種々の利点を有し、更に面構造であるため、柱からなる旧来の軸組み工法の建物に比べて、強度的に優れる特徴を有している。
【０００３】
図７に、従来の２ｘ４工法において使用される一般的な構造パネル５０を示している。２ｘ４用の従来の構造パネル５０は、構造用合板１の一方の面に２ｘ４スタッド（柱部材）を組み付けて構成される。図７の例では、構造用合板１の両側端部に、２本のスタッド間に合板を挟み込んで構成した合せ柱３を、釘等を打ち付けて接合し、更に構造用合板１の中央柱としてスタッド１８を、釘等を打ち付けて接合して、構造パネル５０を形成する。ここでは、中央柱のスタッド１８は、合板１の座屈防止用及び、例えば断熱材等の付属品の取り付け用部材として設けられても良い。この様な構造パネル５０は、現場で組み立てて使用することも出来る利点もあった。
【０００４】
前述の従来の一般的な構造パネル５０に防熱を施した場合の例を図８及び図９に示す。図８は充填断熱工法の場合を示しており、この場合において、断熱材８は、合せ柱３と構造用合板１と中央柱１８とにより囲まれるように、これらの部材の間に設置されており、断熱材８は図８に示すように、建物の外面を形成する構造用合板１より内側、即ち室内側に設置される。一方図９は外張り断熱工法の場合を示しており、この場合において、断熱材８は、構造用合板１の外面に貼り付けるように設置されており、断熱材８は図９に示すように、建物の外面を形成する構造用合板１より外側、即ち室外側に設置される。
【０００５】
図８及び９において、土台１０の上に床合板９が載せられ、その上に構造パネル５０と断熱材８等との組み立て品（アセンブリ）が、図示されるように２枚設置され、構造パネル組み立て品の上に頭繋ぎ７が載せられる。
【０００６】
充填断熱工法の場合、冬場において外気が低下すると、建物の外面である構造用合板１と断熱材８との間において、結露が発生する問題が生じる恐れがあるので、外張り断熱工法が好ましいと考えられる。外張り断熱工法の場合、図９に示すように、断熱材８が建物の外面（即ち、構造用合板１）から外に張り出すことになる。また、断熱材８を保持するためのスタッド等の付属品が一般的に必要であり、構造用合板１の直交接続する隅部において、隅柱４の外側に追加的なスタッド３ｂが一般的に設けられる。
【０００７】
図１０は、従来の２ｘ４工法の外張り断熱工法の場合の建物の隅部（コーナー）付近の配置の一例を示す上から見た断面図である。この図１０の例において、構造パネル５０に関して、構造用合板１の内側、即ち室内側において、３本のスタッド２ａを組み合わせて隅部を固める構造となっている。構造用合板１の外側、即ち室外側において、断熱材８の保持等のために、１本のスタッド２ｂが配置される構造となっている。この図１０の例においては、図示される付近に窓が配置される構造となっている。
【発明の開示】
【発明が解決しようとする課題】
【０００８】
この様な従来の２ｘ４工法の構造パネル５０が完全なものであると考えられていた分けではなく、より改善された構造パネルが常に求められており、特に構造用部材として、強度の面において改善することが望まれていた。上述したように、従来の２ｘ４工法の構造パネル５０を使用した場合の外張り断熱工法においては、外張り断熱材が建物外面から外側に張り出し、断熱材を保持するための部材がやはり建物外面から外側に張り出すため、外壁を構成する構造パネルの外側にスペースが必要であること、建物の隅部において、必要となるスタッドの数が多くなるといった問題があった。
【０００９】
本発明は上述した事情に鑑みなされたもので、２ｘ４工法において、強度的に改善され更に合理的な構造パネル及びそれを使用した工法を提供することを目的とする。
【００１０】
本発明のその他の目的は、外張り断熱工法において、構造パネルの外側に必要なスペースをより少なくすることの出来る構造パネル及びそれを使用した工法を提供することを目的とする。
本発明の更に別の目的は、建物の隅部において、使用するスタッドの数量を減少可能な構造パネル及びそれを使用した工法を提供することを目的とする。
【課題を解決するための手段】
【００１１】
本発明の第１の形態では、上述した目的を達成するために、建築構造等に使用されるための構造パネル（２０；２３；２６）は、四辺を有する平板状の合板（１）と、合板（１）をその表裏両側から挟み込むように合板（１）に接合される、少なくとも２本のスタッド（２）により形成される２組の合せ柱（３）とを具備する。合せ柱（３）は、合板（１）の四辺の内の対向する両側部にそれぞれ設置されることを特徴とする。
【００１２】
合板（１）の両側部に配置される、合せ柱（３）が、合板（１）の両側からスタッド（２）により合板（１）を挟み込むように接合されるので、構造パネルの強度は、従来に比べて向上する。構造パネルの強度の向上により、構造部材の節減が可能になり、その結果コストの削減ができる。また、外張り断熱工法においても、合せ柱等を利用して充填断熱工法で実施できるので、従来に比べて断熱材の取り付けが容易になる。
【００１３】
本発明の第２の形態では、上記第１の形態において、合板（１）をその表裏両側から挟み込むように合板（１）に接合される、少なくとも２本のスタッド（２）により形成される枠（５；６）が、合板の四辺の内の対向する両側部に直交する２つの辺の内の少なくともいずれか一方に設置されることを特徴とする。
本形態によれば、構造パネルの強度は一層向上すると共に、建築構造において、他の構成要素の支持機能等、機能上の性能においても向上する。
【００１４】
本発明の第３の形態では、上記第１又は２の形態において、少なくとも１本のスタッド（２）により形成される中央柱（１８）が、合板（１）の少なくとも一方の面において、合板の四辺の内の対向する両側部に平行で且つ合板（１）の実質的に中央に設置されることを特徴とする。
本形態によれば、中央柱が設けられることにより、断熱材の取り付けが更に容易になると共に、中央柱を構造面に兼用させることが出来るので強度も向上する。その結果、副資材を構造面に兼用させることによる構造部材の節減により、コストの削減ができる。
【００１５】
本発明の第４の形態では、上記第１から３の形態のいずれか一つにおいて、中央柱（１８）は、合板（１）をその表裏両側から挟み込むように合板（１）に接合される、少なくとも２本のスタッド（２）により形成されることを特徴とする。
本形態によれば、更に強度の向上する構成を開示する。
【００１６】
本発明の第５の形態では、上記第１から４の形態のいずれか一つにおいて、全てのスタッド（２）は、ツーバイフォー（２ｘ４）タイプ等の規格寸法のものであることを特徴とする。
本形態によれば、スタッドが規格寸法のものであるので、設計、組み立て、材料手配等において、作業が単純化され、その結果、コスト削減が可能になる。
【００１７】
本発明の第６の形態では、上記第５の形態において、左右２つの合せ柱（３）の内の少なくとも１つにおいて、それを構成するスタッド（２）の内の少なくとも１つが、ツーバイシックス（２ｘ６）タイプであることを特徴とする。
本形態によれば、２ｘ６タイプのスタッドを有する構造パネルを適宜組み合わせることにより、特には、建物のコーナーにおいて、構造パネルを合理的に配置できる。
【００１８】
本発明の第７の形態では、上記第１から６の形態のいずれか一つにおいて、断熱材（８）が、スタッド（２）の厚みにより決定される構造パネル厚みを越えて伸長しないように合板（１）に取り付けられており、断熱材（８）が取り付けられた構造パネルは、断熱材（８）が外側に配置される断熱工法（即ち、半外張り断熱工法）で使用されることを特徴とする。
本形態によれば、断熱材（８）は、合板（１）の外側において、構造部材の間に設置できるので、断熱材８が建物の本来の構造から外側に張り出すことがなく、従って断熱材のために外側のスペースが必要となることがなく、外壁厚を減少できるので、従来の工法に比べて空間利用の点において優れている。また、外張り断熱工法の利点を発揮できる。
【００１９】
前記第１から７の形態のいずれか一つの構造パネルを、少なくとも使用することを特徴とする建築工法を提供する。
本形態によれば、強度的に改善された構造パネルを使用することにより、建築物全体についても構造強度を向上させることができる。断熱材（８）が、建物の外壁から外側に張り出すことがなく、外壁厚を減少できると共に、空間利用の点において優れている。更に、構造パネルが直交する建物のコーナーにおいて、構造パネルは、組み合わせ易い構成になっており、隅部において、合理的に接合させることが可能であり、従って余分なスタッド等の構造部材を設ける必要がない。この結果、構造部材の節減等により、コストの削減ができる。
【００２０】
上記の本発明の説明において、カッコ（）内の記号又は数字は、以下に示す実施の形態との対応を示すために添付される。
【発明を実施するための最良の形態】
【００２１】
以下、図面に基づいて本発明の第１の実施の形態の構造パネルを詳細に説明する。図１から図３は、従来例の図７に対応する図面であり、本発明に係る構造パネルの第１の実施の形態を図解的立体図を示しており、図１は本発明の第１の実施の形態の構造パネルの一般的な構成を示し、図２及び３は、本発明の第１の実施の形態の構造パネルの変形形態をそれぞれ示す。図４は、第１の実施の形態の構造パネルに断熱を施した図解的立体図であり、従来例の図８及び９に対応する。図５は、第１の実施の形態の構造パネルを使用した工法における建物構造の一部の配置の一例を示す上から見た断面図であり、従来例の図１０に対応する。図６は、本発明の第１の実施の形態の構造パネルを使用して建造された建物の構造を説明する図解的立体図である。ここでは図面、より特別には図１から６を参照すると、図７から１０に開示される従来例の要素部分と同じ又は同様である図１から６の要素部分は、同じ参照符号により指定されている。
【００２２】
図１は、本発明の第１の実施の形態の構造パネル２０を示しており、構造パネル２０の一部が切断された立体図を示す。構造パネル２０の構成について説明すると、構造パネル２０は、構造用合板１を具備しており、構造用合板１の両側端部において合せ柱３と、上部端部において上枠６と、下部端部において下枠５と、合板１の中央縦方向に組み付けられる中央柱１８とを更に具備する。構造パネル２０においては、合せ柱３と上枠６と下枠５と中央柱１８は全て、２（インチ）ｘ４（インチ）のスタッド（柱部材）２により形成される。例えば、図１の左端に示される合せ柱３で分かるように、合せ柱３は、２つのスタッド２により形成されており、スタッド２により構造用合板１の両側から合板１を挟みこむように合板１に組み付けることにより形成される。
【００２３】
構造パネル２０の上端に組み付けられる上枠６は、やはり２つのスタッド２を有しており、スタッド２により合板１を両側から挟むように、スタッド２は合板１の横方向に組みつけられている。構造パネル２０の下端において横方向に組み付けられた下枠５も、２つのスタッド２を有し、スタッド２は、合板１を両側から挟むように、合板１の横方向に組み付けられている。また、合板１の中央の中央柱１８も、スタッド２により合板１を両側から挟むように組み付けられており、この中央柱１８は、座屈に対する補強、及び断熱材等付属部材の取り付けを補助する。本発明の構造パネルは一般的に、図１に示す構造パネル２０のごとく、４つの辺においてスタッド２により囲まれた構成である。スタッド２は、例えば２ｘ４のスタッド２の場合、図１に示すように、スタッド２の長い辺（４インチに当る辺）が合板１に接するように取り付けられることが好ましい。スタッド２の合板１への接合は、釘、接着等既知一般的な接合方法で良い。図１に示すように、例えば、２ｘ４工法において一般的な構造におけるパネルの一般的な寸法として、構造パネルの幅は４５５ｍｍ又は９１０ｍｍというものがあるが、その他の寸法であっても良い。高さについては、種々な寸法がある。
【００２４】
このように本発明では、合せ柱３、上枠６、下枠５等を形成する場合に、スタッド２は基本的に全て、合板１を両側から挟むように合板１に組み付けられており、このスタッド２の合板１を両側から挟むように組み付ける構成が、図７に示す従来例の構造パネル５０と相違する。本発明の第１の実施の形態における、両側からスタッド２により合板１を挟み込む構成により、構造パネル２０は、従来の２ｘ４工法の構造パネル（例えば、５０）に比べて、強度的により改善された構造を有する。本発明の構造パネル２０は、前後方向（合板１の厚み方向）及び左右方向（合板１の幅方向）において、対称な形状を有している（図１参照）。即ち、構造パネル２０の前後方向における中心軸線は合板１の中心線に一致しており、スタッドは前記中心軸線に対して外側に対称に配置されているので、構造パネル２０の断面係数は、無駄なく最大値をとることができる。これに対して、図７に示す従来の構造パネル５０は、前後方向において対称ではなく、断面係数を有効にとれないので、前後方向の力に対して合理的な形状とはいえない。従って、種々の方向から力が作用する建物において、本発明の構造パネル２０は、どの方向の力に対しても断面係数を有効にとれるので、従来のものに比べて強度的に改善されていると言える。
【００２５】
図２は、図１の構造パネル２０の変形形態の構造パネル２３を示す。構造パネル２３の中央柱１８は、２ｘ２のスタッド２ｍにより形成されており、この点が図１の構造パネル２０との相違点であり、他の構成については、図１の構造パネル２０と同様である。構造パネル２３における中央柱１８の機能は、図１の構造パネル２０の中央柱１８と同様であり、座屈補強及び付属品の取り付け補助である。図３は、図１の構造パネル２０の別の変形形態の構造パネル２６を示す。構造パネル２６では、合板１の外側のみに、２ｘ４のスタッド２により形成される中央柱１８が組み付けられている。図１の構造パネル２０との相違点は、この点であり、他の構成については、図１の構造パネル２０と同様である。この場合に、中央部材１８の機能は主に下地材（石こうボート等の内張り板の取り付け補助）である。
【００２６】
本発明の構造パネル（例えば、２０，２３，２６）において、スタッド２は構造パネルの４辺ではなく、それ以外の数で、例えば構造パネルの２辺あるいは３辺に組み付けられても良い。また、本発明においてスタッド２は、２ｘ４以外の寸法のスタッドであっても良い。本第１の実施の形態の構造パネル２０，２３，２６は、現場で組み立てて使用することが可能であるが、工場にて事前組み立てされて使用されても良い。合板１、スタッド２は、木、繊維板等の一般的な建築用材料であって良い。
【００２７】
本実施の形態において、構造パネル２３に防熱を施した場合の例を図４に示す。図４では、フェノールフォーム等の断熱材８は合板１の外側（室外側）に設置されるが、この様な工法をここでは、半外張り工法と呼ぶことにする。この半外張り工法は、従来例の外張り断熱工法に対応するものである。この場合において、断熱材８は、合板１の外側において、構造用合板１と合せ柱３と中央柱１８と上枠６又は下枠５とにより囲まれるように、これらの部材の間に設置されており、断熱材８は図４に示すように、建物の外面を形成する構造用合板１より外側、即ち室外側に、外側の合せ柱３と中央柱１８と上枠６又は下枠５等の部材より外側に実質的に張り出すことがないように設置される。断熱材８は、合板１、合せ柱３、中央柱１８、上枠６又は下枠５等を利用して、止め具、接着等の当業者に既知な方法で、取り付け又は貼り付けられても良い。
【００２８】
図４は、一般的な構造パネルの組み立て例も示しており、ここでは、土台１０の上に床合板９が載せられ、その上に構造パネル２３と断熱材８等との組み立て品（アセンブリ）が設置され、更に上枠６上に頭繋ぎ７が載せられる。半外張り断熱工法の場合においても従来例の外張り工法と同様に、冬場において外気が低下しても、建物の室内側において、結露が発生する問題は生じ難い。
【００２９】
図５は、本実施の形態の構造パネルを使用した２ｘ４工法の半外張り断熱工法の場合の建物の隅部（コーナー）付近の配置の一例を示す上から見た断面図である。この図５の例において、隅部（コーナー）Ａにおいて、図示するように、直交する構造パネル２０は、組み合わせ易い構成になっている。本実施の形態の構造パネル２０は、２ｘ４（インチ）スタッド２と２ｘ６（インチ）（ツーバイシックス）スタッド２ｎを組み合わせることにより、隅部において構造パネルを合理的に直交させて接合させることが可能である。従って、余分なスタッドを設ける必要がないことが、特に従来例の図１０と比較した場合、図５から良く分かる。
【００３０】
図６は、本発明の第１の実施の形態の構造パネル２０，２３，２６を使用して建造された建物の構造を説明する図解的立体図であり、建物の一部、特には角部を示している。図６により、本発明の構造パネル２０，２３，２６を使用して建物を建造する場合の実際の構造が良く理解できる。地面、基礎（図示されない）等の上に土台１０が設置され、土台１０の上に床合板９が設置される。床合板９に載せるように、断熱材８を具備する構造パネル２０，２３，２６が設置され、その上に頭繋ぎ７、側根太１３がこの順で載せられる。ここまでで、１階分の高さ方向の構成が形成されるが、この構成は一般的な基本的な単位構成を説明したものである。窓や扉等の建物における特定の場所、機能部分においては、その場所、部分に適した修正された構成となる。側根太１３の上にその上の階の床となる床合板９（図示されない）が設置される。そして更にその上に、構造パネルが設置される。このようにして、建物の上（高さ）方向の構成は、前記単位構成を積み上げるようにして形成される。構造パネル２０，２３，２６は、建物の壁を形成する。
【００３１】
構造パネル２０，２３，２６は、決められた幅を有するので、横方向の構成は、構造パネルを繋ぎ合せるものとなる。従って、建物の横方向についても、基本的には、同じ構成が繰り返すように形成される。
【００３２】
次に上記実施の形態の効果及び作用について説明する。
本発明の第１の実施の形態の構造パネルにより以下の効果が期待できる。
・両側からスタッド２により合板１を挟み込む構成により、構造パネル２０，２３，２６は、前後方向及び左右方向に対して対称な形状を有するため、合理的な構成となっており、構造パネルの強度は、従来に比べて向上する。
・断熱材８は、合板１の外側において、構造部材の間に設置できるので、断熱材８が建物の本来の外壁から外側に張り出すことがなく、従って断熱材のために外側のスペースが必要となることがなく、外壁厚を減少できる。
・例えば、中央柱等の副資材を構造面に兼用させることが出来る。
・構造パネルが直交する建物の隅部（コーナー）Ａにおいて、構造パネルは、組み合わせ易い構成になっており、隅部において、合理的に接合させることが可能であり、従って余分なスタッド等の構造部材を設ける必要がない。
・上記のごとく強度の向上、副資材を構造面に兼用させることによる構造部材、組み立て工数等の節減により、コストの削減ができる。
【００３３】
上記の説明において、本発明の構造パネルは、ツーバイフォー（２ｘ４）材のスタッドを具備するものとして記載されたが、本発明の構造パネルがこれ以外の規格材のスタッドを具備するものであっても良い。
また、上記において記載した、あるいは添付図面に示した実施の形態において、建物の構成を具体的に記載したが、この様な構成は、非常に一般的な部分を示すと共に、あくまで一例であって、本発明はこれに限定されるものではなく、本発明において、建物の構造として別の構成が採用されても良い。
【００３４】
上記の実施の形態は本発明の一例であり、本発明は、該実施の形態により制限されるものではなく、請求項に記載される事項によってのみ規定されており、上記以外の実施の形態も実施可能である。
【図面の簡単な説明】
【００３５】
【図１】図１は、本発明の第１の実施の形態の構造パネルの一般的な構成を示す部分切断立体図である。
【図２】図２は、本発明の第１の実施の形態の構造パネルの変形形態を示す部分切断立体図である。
【図３】図３は、本発明の第１の実施の形態の構造パネルの別の変形形態を示す部分切断立体図である。
【図４】図４は、第１の実施の形態の構造パネルに断熱を施した状態の図解的部分切断立体図であり、従来例の図８及び９に対応する。
【図５】図５は、第１の実施の形態の構造パネルを使用した工法における建物構造の一部の配置の一例の上から見た断面図であり、従来例の図１０に対応する。
【図６】図６は、本発明の第１の実施の形態の構造パネル（２０，２３，２６）を使用して建造された建物の構造を説明する図解的部分切断立体図であり、建物の一部、特には角部を示している。
【図７】図７は、従来の２ｘ４工法において使用される一般的な構造パネルの図解的部分切断立体図である。
【図８】図８は、図７の従来の一般的な構造パネル５０に防熱を施した例の図解的部分切断立体図であり、充填断熱工法の場合を示す。
【図９】図９は、図７の従来の一般的な構造パネル５０に防熱を施した例の図解的部分切断立体図であり、外張り断熱工法の場合を示す。
【図１０】図１０は、従来の２ｘ４工法の外張り断熱工法の場合の建物の隅部（コーナー）付近の配置の一例の上から見た断面図である。
【符号の説明】
【００３６】
１    構造用合板
２    スタッド
３    合せ柱
４    隅柱
５    下枠
６    上枠
７    頭繋ぎ
８    断熱材
９    床合板
１０    土台
１３    側根太
１８    中央柱
２０    構造パネル
２３    構造パネル
２６    構造パネル
【図１】
2008127839.tif 000003
【図２】
2008127839.tif 000004
【図３】
2008127839.tif 000005
【図４】
2008127839.tif 000006
【図５】
2008127839.tif 000007
【図６】
2008127839.tif 000008
【図７】
2008127839.tif 000009
【図８】
2008127839.tif 000010
【図９】
2008127839.tif 000011
【図１０】
2008127839.tif 000012